(57)【要約】      （修正有）【課題】電源供給部からの電源電圧を昇圧部で任意の電圧に生成することで、発光素子部に最適な電源供給が可能となり、電源供給部の専有面積を減らすことができ、コンパクトなレーザーポインターを提供する。【解決手段】電源供給部１５からの電源電圧を、昇圧部１４において、種々の発光素子の駆動電圧に最適な電圧値に変換して、光出力安定化部１５に電源供給を行う。前記昇圧部１４は昇圧動作のイネーブル、ディセーブルを設定できる端子を有し、電圧生成を前記スイッチ部１３がオフの状態の時はディセーブル状態に、前記スイッチ１３がオンの状態の時にはイネーブル状態に設定され、発光素子の駆動時のみ昇圧部を動作させて、発光素子部１１と、光出力安定化部１２に電源供給を行う。前記昇圧部を設けることで、電源供給部１５の専有面積を抑えたコンパクトなレーザーポインターを構成することができる。【選択図】図１
0003189627.tif 000002
【実用新案登録請求の範囲】
【請求項１】
発光素子の光出力を安定化させる光出力安定化部を有する発光装置であって、
電源電圧を供給する電源供給部と、前記電源電圧から、任意の電圧を生成して、前記発光素子部に電源供給を行う昇圧部を有することを特徴とするレーザーポインター。
【請求項２】
前記昇圧部は、生成電圧を任意に設定できる機能を有し、外部からの設定で、昇圧部の出力電圧を可変できる機能を特徴とするレーザーポインター。
【考案の詳細な説明】
【技術分野】
【０００１】本考案は、レーザーポインターに関するものである。
【要約】
【０００２】本考案の目的は、電源供給部の専有面積を減らすことでコンパクトな構成のレーザーポインターを提供し、さらに種々の駆動電圧特性の発光素子を動作させるための最適な電源供給を図ることができるレーザーポインターを提供する。
【課題】
【０００３】プレゼンテーション等に用いられているレーザーポインターの実施例として、従来、電池２本でレーザーポインターを動作させていたが、電池の専有面積が大きいため、コンパクトなレーザーポインターを実現することができなかった。
さらに、青色発光素子などの高い駆動電圧特性を有する発光素子においては、
レーザーポインターとしてコンパクトな本体を構成することができないため、使い勝手が悪くなる課題を有していた。
電池だけで発光素子を駆動させる場合、電圧値が発光素子の駆動電圧値に対して最適化できてないという課題を有していた。
【解決手段】
【０００４】課題を解決するためのレーザーポインターは、発光素子部、発光素子を動作させるためのスイッチ部、電源電圧を供給するための電源供給部、発光素子の光出力を安定化させるための光出力安定化部、電源供給部からの電源電圧を発光素子部に最適な電圧値を生成するための昇圧部を有している。
前記構成により、レーザーポインターを動作させるための電源供給部を従来よりも専有面積を減らすことが可能となり、コンパクトなレーザーポインターを提供することが可能となる。
【請求の範囲】
【請求項１】
【０００５】発光素子の光出力を安定化させる光出力安定化部を有する発光装置であって、
電源電圧を供給する電源供給部と、前記電源電圧から、任意の電圧を生成して、前記発光素子部に電源供給を行う昇圧部を有することを特徴とするレーザーポインター。
【請求項２】
【０００６】前記昇圧部は、生成電圧を任意に設定できる機能を有し、外部からの設定で、昇圧部の出力電圧を可変できる機能を特徴とするレーザーポインター。
【考案の詳細な説明】
【背景技術】
【０００７】プレゼンテーション等に用いられているレーザーポインターは、従来、電池２本で動作させていたが、電池２本によるレーザーポインターは電池の専有面積が大きいため、コンパクトなレーザーポインターを実現することができなかった。
さらに、青色発光素子などの高い駆動電圧特性を有する発光素子においては、レーザーポインターとしてコンパクトな本体を構成することができないため、使い勝手が悪くなる課題を有していた。
また、電池だけで発光素子を駆動させる場合、電圧値がレーザーダイオードの駆動電圧値に対して最適化が十分にできない。
従来の実施例に係る構成のブロック図を図４に示す。
レーザーポインターを構成する場合、電源供給部には２本の電池を用いて電源を供給しており、前記電源電圧が発光素子に供給されている。
【考案が解決しようとする課題】
【０００８】本考案の目的は、電池の専有面積を抑えることで、コンパクトなレーザーポインターを提供することにある。
【課題を解決するための手段】
【０００９】前記目的を達成するために、本考案に係るレーザーポインターは発光素子部、発光素子を動作させるためのスイッチ部、電源電圧を供給するための電源供給部、発光素子の光出力を安定化させるための光出力安定化部、電源供給部からの電源電圧を発光素子部に最適な電圧値を生成するための昇圧部を有することを特徴としている。
【考案の効果】
【００１０】本考案は、レーザーポインターにおいて、電源供給部からの電源電圧を昇圧部で任意の電圧に生成することで、発光素子部に最適な電源供給が可能となり、電源供給部の専有面積を減らすことができ、コンパクトなレーザーポインターを提供することができる。
【考案を実施するための最良の形態】
【００１１】以下、本考案を実施するための最良の形態について、図面を参照して詳細に説明する。
【実施例】
【００１２】図１は本考案の実施例を示しているブロック図である。
１０はレーザーポインターの筐体、１１は発光素子部、１２は前記発光素子の出力特性を安定化させるための光出力安定化部、１３は発光素子部を動作させるためのスイッチ部、１４は任意の電圧を生成する昇圧部、１５は電源電圧を供給するための電源供給部である。
発光素子部１１には赤色レーザーダイオード、緑色レーザーダイオード、及び青色レーザーダイオードなどが用いられる。
電源供給部１５からの電源電圧を、昇圧部１４において、種々の発光素子の駆動電圧に最適な電圧値に変換して、光出力安定化部１５に電源供給を行っている。
前記昇圧部１４は昇圧動作のイネーブル、ディセーブルを設定できる端子を有しており、電圧生成を前記スイッチ部１３がオフの状態の時はディセーブル状態に、前記スイッチ１３がオンの状態の時にはイネーブル状態に設定され、発光素子の駆動時のみ昇圧部を動作させて、発光素子部１１と、光出力安定化部１２に電源供給を行っている。
前記昇圧部を設けることにより、電源供給部１５の専有面積を抑えたコンパクトなレーザーポインターを構成することができる。【００１３】図２に、第２の実施例を示す。
１０はレーザーポインターの筐体、１１は発光素子部、１２は前記発光素子の出力特性を安定化させるための光出力安定化部、１３は発光素子部を動作させるためのスイッチ部、１４は任意の電圧を生成する昇圧部、１５は電源電圧を供給するための電源供給部、１６は昇圧部の生成電圧を任意に設定できる外部端子である。
前記外部端子１６を調整することにより、昇圧部１４の生成電圧を任意に設定できることが可能となり、１つの昇圧部１４で電源供給部１５の専有面積を抑えてコンパクトなレーザーポインターを提供するだけでなく、生成電圧を変えることで種々の発光素子に対応することができ、種々の発光素子に応じて、新たに昇圧部を新たに準備する必要がなくなる。
【産業上の利用可能性】
【００１４】本考案は、レーザーポインターに昇圧部を内蔵することで、種々の発光素子を駆動させることが可能となり、電源供給部の専有面積を抑えることでコンパクトなレーザーポインターを提供することが可能となる。
また、昇圧電圧を任意に設定することで駆動電圧の最適化が容易となるレーザーポインターを提供することが可能となる。
【図面の簡単な説明】
【００１５】
【図１】は、本考案の第１の実施例に係る構成を示すブロック図である。
【図２】は、本考案の第２の実施例に係る構成を示すブロック図である。
【図３】は、従来の実施例に係る構成を示すブロック図である。
【符号の説明】
【００１６】１０：レーザーポインター筐体
１１：発光素子部
１２：光出力安定化部
１３：スイッチ部
１４：昇圧部
１５：電源供給部
１６：昇圧電圧設定外部端子
【図１】
0003189627.tif 000003
【図２】
0003189627.tif 000004
【図３】
0003189627.tif 000005
【手続補正書】
【提出日】平成25年9月25日(2013.9.25)
【手続補正１】
【補正対象書類名】実用新案登録請求の範囲
【補正対象項目名】請求項２
【補正方法】変更
【補正の内容】
【請求項２】
請求項１記載の昇圧部は、生成電圧を任意に設定できる機能を有し、外部からの設定で、昇圧部の出力電圧を可変できる機能を特徴とする請求項１記載のレーザーポインター。